(57)【特許請求の範囲】
【請求項１】
流体である暖房循環熱媒を用いて室内を暖房可能な暖房装置と、
前記室内を暖房または冷房することが可能な空調装置と、
システム制御装置と、を有する空調システムにおいて、
前記暖房装置は、
前記暖房循環熱媒を加熱する熱源機と、前記暖房循環熱媒の熱を前記室内に放熱する放熱体と、前記暖房装置の運転状態を設定可能な暖房装置設定手段と、前記熱源機の動作を制御する熱源機制御手段と、を有しており、
前記空調装置は、
温風または冷風を前記室内に出力する室内機と、前記空調装置の運転状態を設定可能な空調装置設定手段と、前記空調装置の動作を制御する空調制御手段と、を有しており、
前記システム制御装置は、
前記空調装置設定手段からの設定を取り込むことが可能であり、
前記空調装置設定手段からの設定には、
利用者から暖房または冷房を指定することなく前記空調装置が暖房運転をするべきか冷房運転をするべきか自動的に判断することを指示する自動運転が用意されており、
前記システム制御装置には、
過去の第１所定期間における前記暖房装置の運転状態の履歴である暖房装置運転履歴情報が記憶されており、
前記システム制御装置は、
前記空調装置設定手段から前記自動運転が設定された場合、記憶している前記暖房装置運転履歴情報に基づいて、過去の第２所定期間における前記暖房装置による暖房運転の累積時間を積算した暖房装置運転累積時間を求め、求めた前記暖房装置運転累積時間が所定累積時間以上である場合は設定された前記自動運転によって前記空調装置が暖房運転をしていると判定する、
空調システム。
【請求項２】
請求項１に記載の空調システムであって、
前記システム制御装置は、
前記空調装置設定手段から設定された前記自動運転によって前記空調装置が暖房運転をしていると判定した場合、前記熱源機制御手段を介して前記暖房装置の暖房運転を開始させる、
空調システム。
【発明の詳細な説明】
【技術分野】
【０００１】
本発明は、室内を暖房または冷房することが可能な空調装置と、前記室内を暖房することが可能な暖房装置と、を有する空調システムに関する。
【背景技術】
【０００２】
従来の技術として、空調装置（エアコン）と床暖房装置とを連動運転させる温水暖房システムである特許文献１が知られている。
特許文献１に記載された温水暖房システムでは、１台の熱源機からエアコンと床暖房装置の各々に温水を供給し、エアコンと床暖房装置を連動運転させて暖房を行っている。そして制御装置である集中コントローラが、カレンダーを搭載しており、カレンダーに基づいて季節に応じて運転モードを自動的に変更するモード自動変更機能を備えている。これによって、利用者は、季節が変わる度にモード設定を変更する必要がなく、年間を通じて快適暖房を可能としている。
【先行技術文献】
【特許文献】
【０００３】
【特許文献１】特開平８−２９１９１６号公報
【発明の概要】
【発明が解決しようとする課題】
【０００４】
従来より、互いに独立した空調装置である床暖房とエアコンを連動運転させることで、ユーザが設定した室温の立ち上がりを、各々を単独運転させる場合に比較して短時間で行うことができる快適な空調が実現されている。
ところが、エアコンのリモコンには、利用者が暖房も冷房も特に指定しない「自動運転」という設定が用意されている。利用者がリモコンから「自動運転」を設定すると、エアコンが暖房運転するべきか冷房運転するべきかを自動的に判定して、その時点において適切な空調を行う。
ここで、エアコンが自動運転の設定にて暖房運転を行っている場合は床暖房も連動運転させると、より快適な空調を行うことができるが、エアコンが自動運転の設定にて冷房運転を行っている場合は床暖房を運転させるべきではない。従って、床暖房の連動運転を行う場合は、エアコンが自動運転の設定にて暖房運転を開始したか否かを適切に判定する必要がある。
【０００５】
特許文献１に記載された従来技術では、カレンダーのみで季節を判定して暖房するべき時期であるか冷房するべき時期であるか、を判定しているが、カレンダーのみで判定するのは、適切であるとは言い難い。例えば北海道と沖縄では、同じ月日であっても気温が大きく異なり、暖房するべき時期か冷房するべき時期かが異なる。
本発明は、このような点に鑑みて創案されたものであり、空調装置と暖房装置とを有する空調システムにおいて、空調装置にて自動運転が設定された場合に、空調装置が暖房運転をしているか否かをより適切に判定することができる空調システム、及び空調装置が暖房運転をしていると判定した場合は適切に暖房装置の連動運転を開始させてより快適な空調を行うことができる空調システムを提供することを課題とする。
【課題を解決するための手段】
【０００６】
上記課題を解決するため、本発明に係る空調システムは次の手段をとる。
本実施の形態に記載の空調システムは、流体である暖房循環熱媒を用いて室内を暖房可能な暖房装置と、前記室内を暖房または冷房することが可能な空調装置と、システム制御装置と、を有する空調システムである。
前記暖房装置は、前記暖房循環熱媒を加熱する熱源機と、前記暖房循環熱媒の熱を前記室内に放熱する放熱体と、前記暖房装置の運転状態を設定可能な暖房装置設定手段と、前記熱源機の動作を制御する熱源機制御手段と、を有しており、前記空調装置は、温風または冷風を前記室内に出力する室内機と、前記空調装置の運転状態を設定可能な空調装置設定手段と、前記空調装置の動作を制御する空調制御手段と、を有しており、前記システム制御装置は、前記空調装置設定手段からの設定を取り込むことが可能であり、前記空調装置設定手段からの設定には、利用者から暖房または冷房を指定することなく前記空調装置が暖房運転をするべきか冷房運転をするべきか自動的に判断することを指示する自動運転が用意されている。
また、前記システム制御装置には、外気温度を検出可能な外気温度検出手段が接続されている。
そして、前記システム制御装置は、前記空調装置設定手段から前記自動運転が設定された場合、前記外気温度検出手段を用いて検出した外気温度が所定温度以下である場合は設定された前記自動運転によって前記空調装置が暖房運転をしていると判定する。
【０００７】
この本実施の形態に記載の空調システムによれば、外気温度が所定温度以下である場合に、自動運転を設定された空調装置が暖房運転をしているか否かを適切に判定することができる。
これにより、例えば北海道や沖縄であっても、暖房運転をしているか否かを適切に判定することができる。
【０００８】
次に、本実施の形態に記載の空調システムは、流体である暖房循環熱媒を用いて室内を暖房可能な暖房装置と、前記室内を暖房または冷房することが可能な空調装置と、システム制御装置と、を有する空調システムである。
前記暖房装置は、前記暖房循環熱媒を加熱する熱源機と、前記暖房循環熱媒の熱を前記室内に放熱する放熱体と、前記暖房装置の運転状態を設定可能な暖房装置設定手段と、前記熱源機の動作を制御する熱源機制御手段と、を有しており、前記空調装置は、温風または冷風を前記室内に出力する室内機と、前記空調装置の運転状態を設定可能な空調装置設定手段と、前記空調装置の動作を制御する空調制御手段と、を有しており、前記システム制御装置は、前記空調装置設定手段からの設定を取り込むことが可能であり、前記空調装置設定手段からの設定には、利用者から暖房または冷房を指定することなく前記空調装置が暖房運転をするべきか冷房運転をするべきか自動的に判断することを指示する自動運転が用意されている。
また、前記熱源機制御手段には、外気温度を検出可能な外気温度検出手段が接続されており、前記システム制御装置は、前記外気温度検出手段にて検出した外気温度に関する情報である外気温度情報を前記熱源機制御手段から取り込むことが可能である。
そして、前記システム制御装置は、前記空調装置設定手段から前記自動運転が設定された場合、前記熱源機制御手段から取り込んだ前記外気温度情報に基づいて検出した外気温度が前記所定温度以下である場合は設定された前記自動運転によって前記空調装置が暖房運転をしていると判定する。
【０００９】
この本実施の形態に記載の空調システムでは、第１の発明に対して外気温度検出手段の接続先が異なる。従って、第１の発明と同様に、例えば北海道や沖縄であっても、暖房運転をしているか否かを適切に判定することができる。
【００１０】
次に、本発明の第１の発明は、流体である暖房循環熱媒を用いて室内を暖房可能な暖房装置と、前記室内を暖房または冷房することが可能な空調装置と、システム制御装置と、を有する空調システムである。
前記暖房装置は、前記暖房循環熱媒を加熱する熱源機と、前記暖房循環熱媒の熱を前記室内に放熱する放熱体と、前記暖房装置の運転状態を設定可能な暖房装置設定手段と、前記熱源機の動作を制御する熱源機制御手段と、を有しており、前記空調装置は、温風または冷風を前記室内に出力する室内機と、前記空調装置の運転状態を設定可能な空調装置設定手段と、前記空調装置の動作を制御する空調制御手段と、を有しており、前記システム制御装置は、前記空調装置設定手段からの設定を取り込むことが可能であり、前記空調装置設定手段からの設定には、利用者から暖房または冷房を指定することなく前記空調装置が暖房運転をするべきか冷房運転をするべきか自動的に判断することを指示する自動運転が用意されている。
また、前記システム制御装置には、過去の第１所定期間における前記暖房装置の運転状態の履歴である暖房装置運転履歴情報が記憶されている。
そして、前記システム制御装置は、前記空調装置設定手段から前記自動運転が設定された場合、記憶している前記暖房装置運転履歴情報に基づいて、過去の第２所定期間における前記暖房装置による暖房運転の累積時間を積算した暖房装置運転累積時間を求め、求めた前記暖房装置運転累積時間が所定累積時間以上である場合は設定された前記自動運転によって前記空調装置が暖房運転をしていると判定する。
【００１１】
この第１の発明では、暖房装置の過去の暖房装置運転履歴情報に基づいて、自動運転を設定された空調装置が暖房運転をしているか否かを適切に判定することができる。
これにより、例えば北海道や沖縄であっても、暖房運転をしているか否かを適切に判定することができる。
【００１２】
次に、本実施の形態に記載の空調システムは、流体である暖房循環熱媒を用いて室内を暖房可能な暖房装置と、前記室内を暖房または冷房することが可能な空調装置と、システム制御装置と、を有する空調システムである。
前記暖房装置は、前記暖房循環熱媒を加熱する熱源機と、前記暖房循環熱媒の熱を前記室内に放熱する放熱体と、前記暖房装置の運転状態を設定可能な暖房装置設定手段と、前記熱源機の動作を制御する熱源機制御手段と、を有しており、前記空調装置は、温風または冷風を前記室内に出力する室内機と、前記空調装置の運転状態を設定可能な空調装置設定手段と、前記空調装置の動作を制御する空調制御手段と、を有しており、前記システム制御装置は、前記空調装置設定手段からの設定を取り込むことが可能であり、前記空調装置設定手段からの設定には、利用者から暖房または冷房を指定することなく前記空調装置が暖房運転をするべきか冷房運転をするべきか自動的に判断することを指示する自動運転が用意されている。
また、前記空調装置は、流体であるヒートポンプ循環熱媒を用いたヒートポンプ式の空調装置であり、前記ヒートポンプ循環熱媒の循環方向は、前記空調装置が暖房運転をしている場合と、前記空調装置が冷房運転をしている場合と、にてそれぞれ異なる方向に循環するように前記空調制御手段から制御されており、前記システム制御装置には、前記ヒートポンプ循環熱媒の循環方向を検出可能な循環方向検出手段が接続されている。
そして、前記システム制御装置は、前記空調装置設定手段から前記自動運転が設定された場合、前記循環方向検出手段からの検出信号に基づいて前記ヒートポンプ循環熱媒の循環方向を検出し、検出した前記ヒートポンプ循環熱媒の循環方向が暖房運転時の循環方向である場合は設定された前記自動運転によって前記空調装置が暖房運転をしていると判定する。
【００１３】
この本実施の形態に記載の空調システムでは、ヒートポンプ循環熱媒の循環方向を検出することで、自動運転を設定された空調装置が暖房運転をしているか否かを適切に判定することができる。
これにより、例えば北海道や沖縄であっても、暖房運転をしているか否かを適切に判定することができる。
【００１４】
次に、本発明の第２の発明は、上記第１の発明に係る空調システムであって、前記システム制御装置は、前記空調装置設定手段から設定された前記自動運転によって前記空調装置が暖房運転をしていると判定した場合、前記熱源機制御手段を介して前記暖房装置の暖房運転を開始させる。
【００１５】
この第２の発明では、空調装置が暖房運転をしていると判定した場合は適切に暖房装置の連動運転を開始させてより快適な空調を行うことができる。
【図面の簡単な説明】
【００１６】
【図１】第１の実施の形態における空調システム１Ａの構成を説明する図である。
【図２】第１の実施の形態におけるシステム制御装置５０の処理手順の例を説明するフローチャートである。
【図３】第２の実施の形態における空調システム１Ｂの構成を説明する図である。
【図４】第３の実施の形態における空調システム１Ｃの構成を説明する図である。
【図５】第３の実施の形態におけるシステム制御装置５０の処理手順の例を説明するフローチャートである。
【図６】第４の実施の形態における空調システム１Ｄの構成を説明する図である。
【図７】第４の実施の形態におけるシステム制御装置５０の処理手順の例を説明するフローチャートである。
【発明を実施するための形態】
【００１７】
以下に本発明を実施するための形態を図面を用いて説明する。なお、図１、図３、図４、図６において、点線Ｒにて囲まれた内部は空調するべき室内ＲＩを示し、点線Ｒにて囲まれた内部を除いた周囲は屋外ＲＯを示している。
●●［第１の実施の形態（図１、図２）］
●［空調システム１Ａの全体構成（図１）］
まず図１を用いて本発明の空調システム１Ａの第１の実施の形態における全体構成について説明する。
空調システム１Ａは、暖房装置１０と、空調装置２０と、暖房コントローラ３０（暖房装置設定手段に相当）と、空調コントローラ４０と、システム制御装置５０と、を有している。
暖房装置１０はいわゆる床暖房装置であり、流体である暖房循環熱媒（例えば温水）を循環させて室内ＲＩの床を暖房可能な装置である。利用者は暖房コントローラ３０を操作することで暖房装置１０の作動（単独作動）を操作することができる。
また空調装置２０はいわゆるエアコンであり、暖房時は温風を用いて室内ＲＩを暖房可能であり、冷房時は冷風を用いて室内ＲＩを冷房可能な装置である。利用者は空調コントローラ４０（空調装置設定手段に相当）を操作することで空調装置２０の作動（単独作動）を操作することができる。
なお、暖房時は、暖房装置１０と空調装置２０とを連動させて暖房動作させることで、効率良く室内ＲＩを暖房することが可能であるとともに、利用者の快適性をより向上させることができる。
【００１８】
暖房装置１０は、室内ＲＩの床に配置されて暖房循環熱媒を用いて放熱する放熱体１２と、屋外ＲＯに配置されて燃焼により暖房循環熱媒を加熱する燃焼熱源機１１と、にて構成されている。
燃焼熱源機１１は、熱源機制御手段１１Ａと、燃焼加熱手段１１Ｂと、熱交換器１１Ｃと、循環ポンプ１１Ｐと、弁１１Ｖと、を有している。
熱源機制御手段１１Ａは、内部にＣＰＵ等を備えており、信号線Ｓ１にてシステム制御装置５０と接続されて、システム制御装置５０との間で種々の情報を送受信することができる。またシステム制御装置５０は、信号線Ｓ２にて暖房コントローラ３０と接続されており、暖房コントローラ３０との間で種々の情報を送受信することができる。
この構成により、熱源機制御手段１１Ａは、暖房コントローラ３０から入力された情報を、システム制御装置５０を介して取り込むことができる。
そして熱源機制御手段１１Ａは、暖房コントローラ３０からの入力等に基づいて、燃焼加熱手段１１Ｂ、循環ポンプ１１Ｐ、弁１１Ｖ等を制御する。
【００１９】
燃焼加熱手段１１Ｂは、熱源機制御手段１１Ａからの制御信号に基づいて、燃料配管１０Ｇから供給される燃料（例えば都市ガス）を燃焼させて熱交換器１１Ｃ内の暖房循環熱媒を加熱する。
循環ポンプ１１Ｐは、熱源機制御手段１１Ａからの制御信号に基づいて、戻り配管１０Ｒを介して放熱体１２から放熱した後の暖房循環熱媒を吸い込むとともに熱交換器１１Ｃに向けて暖房循環熱媒を圧送することで暖房循環熱媒を循環させる。
弁１１Ｖは、熱源機制御手段１１Ａからの制御信号に基づいて、加熱した暖房循環熱媒を放熱体１２に供給する供給配管１０Ｑの開度量を調節し、暖房循環熱媒の供給量を調節する。
また放熱体１２は、供給配管１０Ｑから供給される暖房循環熱媒を用いて室内ＲＩの床に放熱し、放熱した後の暖房循環熱媒を戻り配管１０Ｒから燃焼熱源機１１に戻す。
【００２０】
空調装置２０は、例えば、室内ＲＩの壁等に取り付けられて温風または冷風を用いて室内ＲＩを暖房または冷房することが可能な室内機２２と、屋外ＲＯに配置されてヒートポンプ循環熱媒（例えばＣＯ2やＲ４１０Ａ（代替フロン冷媒））を加熱または冷却する電気ヒートポンプ２１と、にて構成されている。
室内機２２は、受信手段２２Ａと、制御手段（空調制御手段に相当）を有している。なお、本明細書では、受信手段２２Ａと空調制御手段とを一体とした例を示している。
制御手段は、受信手段２２Ａを介して空調コントローラ４０から送信された制御信号を受信し、受信した制御信号に基づいて電気ヒートポンプ２１を制御する。
【００２１】
暖房コントローラ３０は、暖房装置１０の単独作動を操作可能なコントローラであり、電源ＯＮ／ＯＦＦスイッチや暖房レベル（暖房温度を含む）設定手段等を備えている。なお暖房コントローラ３０は、暖房装置１０と空調装置２０の連動した暖房作動を指示することも可能である。
利用者が暖房コントローラ３０にて電源ＯＮ／ＯＦＦスイッチをＯＦＦからＯＮ、またはＯＮからＯＦＦにした場合や、暖房レベル設定手段を操作すると、信号線Ｓ２を介して利用者の設定を含む設定情報が、暖房コントローラ３０からシステム制御装置５０に送信される。更に設定情報は、信号線Ｓ１を介してシステム制御装置５０から熱源機制御手段１１Ａに送信され、信号線Ｓ３及び補助コントローラ５０Ａを介してシステム制御装置５０から受信手段２２Ａに送信される。
【００２２】
システム制御装置５０は、信号線Ｓ１にて熱源機制御手段１１Ａと接続され、信号線Ｓ２にて暖房コントローラ３０と接続され、信号線Ｓ３にて補助コントローラ５０Ａと接続されている。
またシステム制御装置５０には、屋外の気温を検出可能な外気温度検出手段６０が接続されており、システム制御装置５０は、外気温度検出手段６０からの検出信号に基づいて、屋外ＲＯの気温（外気温度）を検出することができる。
補助コントローラ５０Ａは、空調コントローラ４０から送信された制御信号（設定情報）を例えば無線にて受信することが可能である。補助コントローラ５０Ａは、受信した制御信号（設定情報）をシステム制御装置５０に送信することが可能である。
また補助コントローラ５０Ａは、暖房コントローラ３０から送信された制御信号（設定情報）に基づいた信号（情報）を例えば無線にて受信手段２２Ａに送信することが可能である。
例えばシステム制御装置５０は、利用者が暖房コントローラ３０から入力した設定を含む設定情報を信号線Ｓ２を介して受信すると、受信した設定情報に基づいて、暖房装置１０と空調装置２０とを連動させて動作させる。この場合、システム制御装置５０は、受信した設定情報に基づいて、暖房装置１０の作動を指示するための第１設定情報と、空調装置２０の作動を指示するための第２設定情報を作成する。そしてシステム制御装置５０は、信号線Ｓ１を介して第１設定情報を熱源機制御手段１１Ａに送信し、信号線Ｓ３及び補助コントローラ５０Ａを介して第２設定情報を受信手段２２Ａに向けて送信する。
従って、空調装置２０は、空調コントローラ４０からの信号に基づいて動作するとともに、補助コントローラ５０Ａからの信号に基づいて動作する。
【００２３】
空調コントローラ４０は、空調装置２０の単独作動を操作可能なコントローラであり、電源ＯＮ／ＯＦＦスイッチや暖房レベル（暖房温度を含む）設定手段、冷房レベル（冷房温度を含む）設定手段、及び暖房または冷房を指定しない自動運転設定手段等を備えている。
利用者が空調コントローラ４０にて電源ＯＮ／ＯＦＦスイッチをＯＦＦからＯＮ、またはＯＮからＯＦＦにした場合や、暖房レベル設定手段、冷房レベル設定手段、自動運転設定手段等を操作すると、利用者の設定を含む設定情報が、無線にて空調コントローラ４０から受信手段２２Ａ、及び補助コントローラ５０Ａに向けて送信される。
【００２４】
なお、自動運転設定手段による「自動運転」の指定は、利用者が暖房または冷房を指定することなく、利用者が単純に「自動運転」を指定するだけである。この場合、空調装置２０の制御手段が、現在の室内ＲＩの温度等を把握して暖房運転するべきか冷房運転するべきか、を自動的に判断して、その時点における快適な空調を行うものである。空調装置２０には、予め、その機能が備えられている。
ところが暖房装置１０には、暖房運転するべきか冷房運転するべきか自動的に判断する「自動運転」機能は設けられていない。空調装置２０に「自動運転」が指定され、空調装置２０の判断の結果、暖房運転を行った場合は、暖房装置１０による連動運転をすることが、より快適な暖房を行うことができるので好ましい。
ところが、空調装置２０は、「自動運転」の指定によって判断した結果、暖房運転を開始した、ということを外部に出力しないので、自動運転を指定された空調装置２０が暖房運転を開始した際に暖房装置１０の連動運転を開始させることができない。
本発明は、システム制御装置５０にて、自動運転を指定された空調装置２０が暖房運転を開始したか否かを判定し、自動運転を指定された空調装置２０が暖房運転を開始した場合には暖房装置１０の連動運転を開始させ、より快適な空調を行うものである。
【００２５】
●［システム制御装置５０の処理手順（図２）］
次に図２のフローチャートを用いて、第１の実施の形態の空調システム１Ａにおけるシステム制御装置５０の処理手順について説明する。
図２のフローチャートに示す処理は、システム制御装置５０にて、所定タイミング（例えば１００ｍｓ毎）にて実行される。
ステップＳ１０にて、システム制御装置５０は、補助コントローラ５０Ａを介して空調コントローラ４０から自動運転の指示を受信したか否かを判定する。自動運転の指示を受信した場合（Ｙｅｓ）はステップＳ２０に進み、自動運転の指示を受信していない場合（Ｎｏ）は処理を終了する。
【００２６】
ステップＳ２０に進んだ場合、システム制御装置５０は、信号線Ｓ１を介して熱源機制御手段１１Ａと通信を行い、暖房装置１０が既に暖房運転を行っているか否かを判定する。暖房運転を行っていると判定した場合（Ｙｅｓ）はステップＳ７０に進み、暖房運転を行っていないと判定した場合（Ｎｏ）はステップＳ３０に進む。なお、ステップＳ２０は省略してもよい。
ステップＳ７０に進んだ場合、システム制御装置５０は、（自動運転の指示が入力された空調装置２０が暖房運転を開始したと判断して）暖房装置１０の連動運転を開始して処理を終了する。
【００２７】
ステップＳ３０に進んだ場合、システム制御装置５０は、外気温度検出手段６０からの検出信号に基づいて外気温度を取り込み、ステップＳ４０に進む。
ステップＳ４０では、システム制御装置５０は、外気温度が第１所定温度（所定温度に相当）以下であるか否かを判定する（例えば１０［℃］以下であるか否かを判定する）。外気温度が第１所定温度以下である場合（Ｙｅｓ）はステップＳ６０Ａに進み、外気温度が第１所定温度よりも高い場合（Ｎｏ）はステップＳ５０に進む。
ステップＳ６０Ａに進んだ場合、システム制御装置５０は、自動運転の指定が入力された空調装置２０が暖房運転を開始したと判定してステップＳ７０に進む。
ステップＳ７０では、システム制御装置５０は、暖房装置１０の連動運転を開始して処理を終了する。
【００２８】
ステップＳ５０に進んだ場合、システム制御装置５０は、外気温度が第２所定温度以上であるか否かを判定する。第２所定温度は第１所定温度よりも高い温度に設定されており、例えば２８［℃］以上であるか否かを判定する。外気温度が第２所定温度以上である場合（Ｙｅｓ）はステップＳ６０Ｂに進み、外気温度が第２所定温度未満の場合（Ｎｏ）は処理を終了する。
ステップＳ６０Ｂに進んだ場合、システム制御装置５０は、自動運転の指定が入力された空調装置２０が冷房運転を開始したと判定して処理を終了する。なお、空調装置２０が冷房運転を開始したと判定した際に暖房装置１０が暖房運転を行っている場合は、システム制御装置５０から熱源機制御手段１１Ａに制御信号を出力して暖房装置１０の動作を停止させるようにしてもよい。
なお、ステップＳ５０、ステップＳ６０Ｂは省略してもよい。
【００２９】
以上、第１の実施の形態における空調システム１Ａでは、システム制御装置５０は、空調装置２０に自動運転の指示が入力された際、自身に接続された外気温度検出手段６０を用いて検出した外気温度に基づいて、空調装置２０が暖房運転を開始したか否かを適切に判定することができる。
そしてシステム制御装置５０は、自動運転の指定を入力された空調装置２０が暖房運転を開始したと判定した場合、暖房装置１０の連動運転を開始させ、室内ＲＩをより快適に空調させることができる。
【００３０】
●●［第２の実施の形態（図３）］
●［空調システム１Ｂの全体構成（図３）］
次に図３を用いて、第２の実施の形態における空調システム１Ｂについて説明する。図３に示す第２の実施の形態の空調システム１Ｂは、図１に示す第１の実施の形態の空調システム１Ａに対して、外気温度検出手段６０が、システム制御装置５０ではなく熱源機制御手段１１Ａに接続されている点が異なる。以下、第１の実施の形態との相違点について主に説明する。
第２の実施の形態の空調システム１Ｂでは、システム制御装置５０は、外気温度を取り込む際、外気温度検出手段６０からの検出信号に基づいた外気温情報を、信号線Ｓ１及び熱源機制御手段１１Ａを介して取り込む。
【００３１】
●［システム制御装置５０の処理手順］
図２に示す第１の実施の形態のフローチャートに対して、ステップＳ３０にて外気温を取り込む際、システム制御装置５０は、外気温度検出手段６０からの検出信号に基づいた外気温度に関する情報である外気温度情報を、信号線Ｓ１及び熱源機制御手段１１Ａを介して取り込む。
なお、他のステップについては、図２に示す第１の実施の形態のフローチャートと同じであるので、説明を省略する。
【００３２】
以上、第２の実施の形態における空調システム１Ｂでは、第１の実施の形態と同様、システム制御装置５０は、空調装置２０に自動運転の指示が入力された際、熱源機制御手段１１Ａに接続された外気温度検出手段６０を用いて検出した外気温に基づいて、空調装置２０が暖房運転を開始したか否かを適切に判定することができる。
また、すでに熱源機制御手段１１Ａに外気温度検出手段６０が接続されている場合、新たにシステム制御装置５０に外気温度検出手段６０を設ける場合に比較して、低廉に同様の効果を発揮することができる。
そしてシステム制御装置５０は、自動運転の指定を入力された空調装置２０が暖房運転を開始したと判定した場合、暖房装置１０の連動運転を開始させ、室内ＲＩをより快適に空調させることができる。
【００３３】
●●［第３の実施の形態（図４、図５）］
●［空調システム１Ｃの全体構成（図４）］
次に図４を用いて、第３の実施の形態における空調システム１Ｃについて説明する。図４に示す第３の実施の形態の空調システム１Ｃは、図１に示す第１の実施の形態の空調システム１Ａに対して、外気温度検出手段６０が省略されている点と、システム制御装置５０の処理内容が異なる。以下、第１の実施の形態との相違点について主に説明する。
【００３４】
●［システム制御装置５０の処理手順（図５）］
次に図５のフローチャートを用いて、第３の実施の形態の空調システム１Ｃにおけるシステム制御装置５０の処理手順について説明する。
第３の実施の形態の空調システム１Ｃでは、外気温度検出手段６０が省略されており、図２に示すフローチャートに対して、ステップＳ３２、ステップＳ４２、ステップＳ５２が変更されている点が異なり、他のステップは同じである。以下、この相違点について主に説明する。
なお、システム制御装置５０は、所定タイミング（一定時間毎等）にて、信号線Ｓ１を介して熱源機制御手段１１Ａと通信を行い、暖房装置１０の暖房運転の履歴である暖房装置運転履歴情報を、過去の第１所定期間分（例えば１ヶ月分）、記憶している。
【００３５】
ステップＳ２０に進んだ場合、システム制御装置５０は、信号線Ｓ１を介して熱源機制御手段１１Ａと通信を行い、暖房装置１０が既に暖房運転を行っているか否かを判定する。暖房運転を行っていると判定した場合（Ｙｅｓ）はステップＳ７０に進み、暖房運転を行っていないと判定した場合（Ｎｏ）はステップＳ３２に進む。なお、ステップＳ２０は省略してもよい。
ステップＳ３２に進んだ場合、システム制御装置５０は、記憶している暖房装置運転履歴情報に基づいて、過去の第２所定期間（例えば１週間）における暖房運転の累積時間を積算した暖房装置運転累積時間を算出し、ステップＳ４２に進む。なお、第２所定期間は第１所定期間よりも短い期間である。
ステップＳ４２では、システム制御装置５０は、暖房装置運転累積時間が第１所定累積時間（所定累積時間に相当）以上であるか否かを判定する。第１所定累積時間以上である場合（Ｙｅｓ）はステップＳ６０Ａに進み、第１所定累積時間未満である場合はステップＳ５２に進む。
ステップＳ５２に進んだ場合、システム制御装置５０は、暖房装置運転累積時間が第２所定累積時間以下であるか否かを判定する。第２所定累積時間以下である場合（Ｙｅｓ）はステップＳ６０Ｂに進み、第２所定累積時間より長い場合（Ｎｏ）は処理を終了する。また、第２所定累積時間は第１所定累積時間よりも短い時間である。
なお、ステップＳ５２、ステップＳ６０Ｂは省略してもよい。
また、他のステップについては、図２に示す第１の実施の形態のフローチャートと同じであるので、説明を省略する。
【００３６】
以上、第３の実施の形態における空調システム１Ｃでは、システム制御装置５０は、空調装置２０に自動運転の指示が入力された際、暖房装置運転累積時間に基づいて、空調装置２０が暖房運転を開始したか否かを適切に判定することができる。
そしてシステム制御装置５０は、自動運転の指定を入力された空調装置２０が暖房運転を開始したと判定した場合、暖房装置１０の連動運転を開始させ、室内ＲＩをより快適に空調させることができる。
【００３７】
●●［第４の実施の形態（図６、図７）］
●［空調システム１Ｄの全体構成（図６）］
次に図６を用いて、第４の実施の形態における空調システム１Ｄについて説明する。図６に示す第４の実施の形態の空調システム１Ｄは、図１に示す第１の実施の形態の空調システム１Ａに対して、外気温度検出手段６０が省略されている点と、空調装置２０に循環方向検出手段６１が追加されている点と、システム制御装置５０の処理内容が異なる。以下、第１の実施の形態との相違点について主に説明する。
第４の実施の形態の空調システム１Ｄでは、空調装置２０はヒートポンプ式の空調装置であり、配管２０Ｒ、２０Ｑ内をヒートポンプ循環熱媒が循環している。ここで、ヒートポンプ循環熱媒の循環方向は、空調制御手段によって、冷房時と暖房時では異なる循環方向に制御されている。
システム制御装置５０は、循環方向検出手段６１からの検出信号に基づいて、ヒートポンプ循環熱媒の循環方向を検出可能であり、検出した循環方向に基づいて、空調装置２０が冷房運転しているか暖房運転しているか、を検出することができる。
【００３８】
●［システム制御装置５０の処理手順（図７）］
次に図７のフローチャートを用いて、第４の実施の形態の空調システム１Ｄにおけるシステム制御装置５０の処理手順について説明する。
第４の実施の形態の空調システム１Ｄでは、外気温度検出手段６０が省略されており、図２に示すフローチャートに対して、ステップＳ３５、ステップＳ４５、が変更され、ステップＳ５０が省略されている点が異なり、他のステップは同じである。以下、この相違点について主に説明する。
【００３９】
ステップＳ２０に進んだ場合、システム制御装置５０は、信号線Ｓ１を介して熱源機制御手段１１Ａと通信を行い、暖房装置１０が既に暖房運転を行っているか否かを判定する。暖房運転を行っていると判定した場合（Ｙｅｓ）はステップＳ７０に進み、暖房運転を行っていないと判定した場合（Ｎｏ）はステップＳ３５に進む。なお、ステップＳ２０は省略してもよい。
ステップＳ３５に進んだ場合、システム制御装置５０は、循環方向検出手段６１からの検出信号に基づいてヒートポンプ循環熱媒の循環方向を検出し、ステップＳ４５に進む。
ステップＳ４５では、システム制御装置５０は、ヒートポンプ循環熱媒の循環方向が暖房時の方向であるか否かを判定する。暖房時の循環方向である場合（Ｙｅｓ）はステップＳ６０Ａに進み、暖房時の方向でない場合（Ｎｏ）はステップＳ６０Ｂに進む。
なお、ステップＳ６０Ｂは省略してもよい。
また、他のステップについては、図２に示す第１の実施の形態のフローチャートと同じであるので、説明を省略する。
【００４０】
以上、第４の実施の形態における空調システム１Ｄでは、システム制御装置５０は、空調装置２０に自動運転の指示が入力された際、ヒートポンプ循環熱媒の循環方向に基づいて、空調装置２０が暖房運転を開始したか否かを適切に判定することができる。
そしてシステム制御装置５０は、自動運転の指定を入力された空調装置２０が暖房運転を開始したと判定した場合、暖房装置１０の連動運転を開始させ、室内ＲＩをより快適に空調させることができる。
【００４１】
本発明の空調システム１Ａ〜１Ｄは、本実施の形態で説明した外観、構成、構造、処理等に限定されず、本発明の要旨を変更しない範囲で種々の変更、追加、削除が可能である。
また、第１の実施の形態〜第３の実施の形態では、空調装置２０はヒートポンプ式空調装置に限定されず、冷房と暖房を行うことができる種々の空調装置を用いることができる。
また、以上（≧）、以下（≦）、より大きい（＞）、未満（＜）等は、等号を含んでも含まなくてもよい。
また、本実施の形態の説明に用いた数値は一例であり、この数値に限定されるものではない。
【符号の説明】
【００４２】
１Ａ〜１Ｄ    空調システム
１０      暖房装置
１１      燃焼熱源機
１１Ａ    熱源機制御手段
１１Ｂ    燃焼加熱手段
１１Ｃ    熱交換器
１１Ｐ    循環ポンプ
１１Ｖ    弁
１２      放熱体
２０      空調装置
２１      電気ヒートポンプ
２２      室内機
２２Ａ    受信手段
３０      暖房コントローラ（暖房装置設定手段）
４０      空調コントローラ（空調装置設定手段）
５０      システム制御装置
５０Ａ    補助コントローラ
６０      外気温度検出手段
６１      循環方向検出手段
ＲＩ      室内
ＲＯ      屋外
Ｓ１、Ｓ２、Ｓ３    信号線
【図１】
0005793453.tif 000002
【図２】
0005793453.tif 000003
【図３】
0005793453.tif 000004
【図４】
0005793453.tif 000005
【図５】
0005793453.tif 000006
【図６】
0005793453.tif 000007
【図７】
0005793453.tif 000008